(57)【要約】【課題】  本発明は、脂肪除去処理をした吸水性素材により手袋を縫製することによって肌への感触が良く、かつ汚れを確実に拭き取ることができる浴用手袋を提供することを目的とするものである。【解決手段】  本発明は、脱脂処理がなされた吸水性素材として医療用ガーゼによって親指挿入部７及び人指し指挿入部８並びに中指、薬指、小指挿入部９から浴用手袋５が構成される。これにより目の粗さがほどよいマッサージ効果をもたらし、かつ目が詰まって肌を滑ることなく汚れを確実に拭き取ることができる。【選択図】        図３
2007070737.tif 000002
【特許請求の範囲】
【請求項１】
脱脂処理がなされた吸水性素材により手袋状に形成される
ことを特徴とする浴用手袋。
【請求項２】
前記手袋が、親指挿入部および人指し指挿入部並びに中指、薬指、小指挿入部により形成される
ことを特徴とする請求項１記載の浴用手袋。
【請求項３】
前記脱脂処理がなされた吸水性素材が医療用ガーゼである
ことを特徴とする請求項１または２記載の浴用手袋。
【請求項４】
前記脱脂処理がなされた吸水性素材を上，下複数枚重ねる
ことを特徴とする請求項１、２または３記載の浴用手袋。
【発明の詳細な説明】
【技術分野】
【０００１】
本発明は、浴用手袋に関する。詳しくは乳児沐浴用、あるいは介護者用の手拭に適した浴用手袋に係るものである。
【背景技術】
【０００２】
従来より幼児または老人、病人介護の浴用の手拭として、例えば図４に示す手袋型タオルがある。この手袋型タオルは、タオル生地の手袋型タオル本体１０１に親指袋１０２と人指し指袋１０３並びに中指、薬指、小指用袋１０４を設けた構成とされる（特許文献１参照。）。
【０００３】
【特許文献１】特開２００２−８５２８２号公報（要約書、第１図）
【発明の開示】
【発明が解決しようとする課題】
【０００４】
前記手袋型タオルでは、石鹸水や水滴を飛び散らす気遣いなく丁寧に洗い流しができ、身体の細部例えば耳とその周辺、指と指又、又は腋の下なども容易に洗うことができる。
【０００５】
しかしながらタオル生地の手袋では、保水性があるために水を吸収すると重くなり、かつ石鹸を付けることにより肌をタオル生地がすべってしまい、汚れが取れ難い問題がある。
【０００６】
また、タオル生地の場合では指に肌の感触が伝わりにくく耳とその周辺や指の間、目のまわりなど身体の細部の拭き取りが思うようにいかない問題がある。
【０００７】
いっぽう、手袋の生地としてガーゼを使用しているものがあるが、通常の服地用ガーゼは、目が細かく脂肪やロウなど綿が本来もっている不純物の除去が不完全なために水の吸収が悪く、かつ排水性に劣る。織り目に水や石鹸が詰まることにより、布地が重くなって手指を動かし難い。また、肌を布がすべってしまい、汚れが落ち難い問題がある。
【０００８】
また、ガーゼの場合では、柔らかく、かつほつれやすい布で浴用手袋を製作する上で縫製上の問題があった。例えば、指の付け根の縫い代が取り難く、ほつれやすくなる。あるいはひっくり返したときに、付け根部分にしわができてしまう難点がある。
【０００９】
本発明は、以上の点に鑑みて創案されたものであって、脂肪除去処理をした吸水性素材により手袋を縫製することによって肌への感触が良く、かつ汚れを確実に拭き取ることができる浴用手袋を提供することを目的とするものである。
【課題を解決するための手段】
【００１０】
上記の目的を達成するために、本発明に係る浴用手袋は、脱脂処理がなされた吸水性素材により手袋状に形成される。
【００１１】
ここで、脱脂処理がなされた吸水性素材として医療用ガーゼを使用することにより、一般のガーゼと比較して目が粗く、この目の粗さがほどよいマッサージ効果をもたらし、かつ汚れを拭き取ることができる。また、脂肪の除去処理を行っているために、水の吸収が一般のガーゼと比較して著しく良く、入浴後の水分も瞬時に吸い取ることができる。
【００１２】
また、手袋を親指挿入部および人指し指挿入部並びに中指、薬指、小指挿入部により形成することにより、乳児や介護を必要とする人を入浴させる際に、掴みやすく、かつ人指し指挿入部を自由に動かせるため、耳の裏、中、目のまわり、くびれたところなど細かな部分を容易に洗うことが可能となり安全に入浴させることができる。
【００１３】
また、前記脱脂処理がなされた吸水性素材を上，下複数枚重ねることにより、吸水性が大きいためにすすぎも簡単に行え、かつ入浴後の肌に付いた水分を素早く吸い取ることが可能となる。
また、手袋を製作する際に、型紙の親指を入れる部分および人指し指を入れる部分並びに中指、薬指、小指の３本の指を入れる部分間の分岐角度を大きくとることにより、型紙によって裁断した生地を縫い合わせる場合に縫い代を十分に取ることができ、かつ各親指、人指し指、並びに中指、薬指、小指の３本の指を大きく開くことが可能となるとともに、手指の大きさの違いにもある程度対応することができる。
【００１４】
なお、ガーゼとは綿糸により１インチ（２．５４ｃｍ）角の縦横に５０本から１１８本を織り込んだ布の総称であり、医療用ガーゼとは１インチ（２．５４ｃｍ）角の縦横に５０本前後の綿糸が織り込まれたものをいう。
【発明の効果】
【００１５】
以上述べてきたように指を挿入する部分を親指部分と、人指し指部分、その他の３本の指をまとめた部分とに縫製し、その３本の指をまとめて入れる広い部分があるために、石鹸の泡立ちが良く、体の広い部分をなでて洗うのに有効である。
【００１６】
また、脂肪を除去した吸水性素材（医療用ガーゼ）により形成することにより、吸水性が良く、織り目が粗いために肌を擦る際にマッサージ効果がある。また、織り目が粗いことにより排水性もよいので織り目に水が溜まらず、使用感が軽く、手指を楽に動かすことができる。しかも洗濯後の乾燥も速いので、衛生的に使用できる。
【００１７】
また、親指と人指し指を単独で動かせるために、乳児や介護を必要とする人を入浴させる際に掴みやすく、かつ人指し指部分を自由に動かせるため、耳の裏、中、目のまわり、くびれた細かな部分も容易に洗うことができる。
【発明を実施するための最良の形態】
【００１８】
以下、本発明の実施の形態を図面を参酌しながら説明し、本発明の理解に供する。
図１に、本発明を適用した浴用手袋の型紙の一例を示す説明図、図２に、図１における型紙により縫製した浴用手袋の説明図、図３に、本発明を適用した浴用手袋の斜視図を示す。
【００１９】
ここで示す浴用手袋型紙１は、親指を入れる部分２および人指し指を入れる部分３並びに中指、薬指、小指の３本の指を入れる部分４に分岐形成される。そして親指を入れる部分２と人指し指を入れる部分３との分岐角度を約５３度とし、人指し指を入れる部分３と中指、薬指、小指の３本の指を入れる部分４との分岐角度を約３５度とする。
【００２０】
前記親指を入れる部分２および人指し指を入れる部分３並びに中指、薬指、小指の３本の指を入れる部分４が、布目に対して斜めにカットされるため（バイヤス地となる）布目を直角に使用した場合に比較し、伸縮性があり、使用する人の手指の大きさにある程度適応でき、かつ手指を動かすのが自由になる。
【００２１】
また、人指し指を入れる部分３が親指方向に向かって斜めにカットすることにより、人指し指を動かすことがより容易になり、縫い目と人指し指がずれにくいという効果がある。
【００２２】
また、前記親指を入れる部分２および人指し指を入れる部分３並びに中指、薬指、小指の３本の指を入れる部分４間の分岐角度を大きくとることにより、型紙によって裁断した生地を縫い合わせる場合に縫い代を十分に取ることができ、かつ各親指、人指し指、並びに中指、薬指、小指の３本の指を大きく開くことが可能となる。
【００２３】
次に、手袋の生地として医療用ガーゼを使用する。この医療用ガーゼは、４０番の糸を使い、打ち込み数（糸の本数）は１ｃｍ角に縦、横１１本前後とし、苛性ソーダに晒した後に、洗剤による水洗いをして糸に付着している脂肪分を除去する精錬工程および漂白処理を行う。
【００２４】
したがって、一般のガーゼと比較して目が粗く、この目の粗さがほどよいマッサージ効果をもたらし、かつ汚れを拭き取る効果がある。また、脂肪の除去処理を行っているために、水の吸収が一般のガーゼと比較して著しく良く、かつ軽く握るだけで吸収した水分を排出することができる。
【００２５】
ここで、図２に示すように、脂肪除去処理をした吸水性に優れた医療用ガーゼを例えば上，下３枚ずつ（合計６枚）重ね、浴用手袋型紙１の線に縫い代をつけて裁断する。そして浴用手袋型紙１の線に合わせて重ね縫いする。この場合には、１ｍｍ〜１．５ｍｍ外側をほつれ防止のためもう一度縫う。さらに、指の付根の部分は縫い代を少し切り込みを入れて広げやすくする。
【００２６】
次に、図３に示すように、この状態から裏返す場合には、３枚と3枚で裏返すと縫い目および縫い代がそのまま中に出るため、２枚と４枚で裏返すと縫い目および縫い代は布の中に入り、指に当たることがなく、前記縫いをして浴用手袋５を形成することができる。そして手首部分にゴム６を入れて収縮性をもたせる。これにより浴用手袋５は、親指挿入部７及び人指し指挿入部８並びに中指、薬指、小指挿入部９から構成される。
【００２７】
なお、前記手袋の生地は必ずしも医療用ガーゼで使用する必要性がなく、脂肪除去処理がなされ、かつ吸水性に優れたものであればいかなる生地であっても構わないが、肌触りが良く、織り目の粗さによるマッサージ効果および排水性の良さによる軽さのある医療用ガーゼが乳幼児、肌の弱い人、体力のない人などの浴用には最も適している。
【００２８】
以上のように本発明の浴用手袋では、生地として医療用ガーゼを使用することにより、目の粗さがほどよいマッサージ効果をもたらし、かつ目が詰まって肌を滑ることなく汚れを確実に拭き取ることができる。さらに、水や石鹸の含みがよく、織り目の粗さから余分な水分を排出することが容易なので、必要な水分は十分に布に含まれ、かつ余分な水分が布目の中に溜まることがないので、手に持って軽く、水が飛び取ることなく使用することができる。
【００２９】
また、３本の指をまとめて入れる中指、薬指、小指挿入部９の広い部分があるため、石鹸の泡立ちが良く、体の広い部分をなでて洗うのに有効である。さらに、親指挿入部７及び人指し指挿入部８並びに中指、薬指、小指挿入部９間の分岐角度を大きくとっているために、乳児や介護を必要とする人を入浴させる際に、掴みやすく、かつ人指し指挿入部８を自由に動かせるため、耳の裏、中、目のまわり、くびれたところなど細かな部分を容易に洗うことが可能となり安全に入浴させることができる。
【００３０】
また、すすぎや仕上げ拭きも、浴用手袋５を装着した状態できれいな温水の中でゆすぎ、ギュッと手を握れば、水分が排出されてしぼった状態となる。このように脂肪分を完全に繊維から除去することにより吸水性が著しく大となり、入浴後の水分も瞬時に吸い取ることができる。このことにより、片手で相手を支えながら片手で丁寧に洗い流しができ、仕上げ拭きまでの一連の作業を一人で行うことが容易にできる。
【図面の簡単な説明】
【００３１】
【図１】本発明を適用した浴用手袋の型紙の一例を示す説明図である。
【図２】図１における型紙により縫製した浴用手袋の説明図である。
【図３】本発明を適用した浴用手袋の一例を示す斜視図である。
【図４】従来の浴用手袋の一例を示す説明図である。
【符号の説明】
【００３２】
１    浴用手袋型紙
２    親指を入れる部分
３    人指し指を入れる部分
４    中指、薬指、小指の３本の指を入れる部分
５    浴用手袋
６    ゴム
７    親指挿入部
８    人指し指挿入部
９    中指、薬指、小指挿入部
【図１】
2007070737.tif 000003
【図２】
2007070737.tif 000004
【図３】
2007070737.tif 000005
【図４】
2007070737.tif 000006